(57)【要約】【課題】本発明は、接続すべきレーザ放射素子の入射光の偏光面とアイソレータに適切な偏光面との調節・設定が容易にできる光アイソレータ装置と、これを用いてレーザ放射素子と一体化した光モジュールを提供する。【解決手段】略中央部にアイソレータ用溝部とその両側にそれぞれ円筒軸に平行な貫通孔を含む円筒部とを有する円筒基体と、該アイソレータ用溝部の底面に固定した光アイソレータと、両側の円筒部にそれぞれ該貫通孔に挿通して光アイソレータに光結合して円筒部の端面から一方が先側に延出された光ファイバと、からり、光アイソレータ装置が、円筒基体の上記光ファイバ延出側の円筒部の周面の一部を取り囲んで固定する凹部と横方に突出する側面とを有する板状体を含んで、光アイソレータ装置とする。【選択図】  図１
2004177778.tif 000002
【特許請求の範囲】
【請求項１】
略中央部にアイソレータ用溝部とその両側にそれぞれ円筒軸に平行な貫通孔を含む円筒部とを有する円筒基体と、上記のアイソレータ用溝部の底面に固定した光アイソレータと、両側の円筒部にそれぞれの貫通孔に挿通して光アイソレータに光結合して一方の円筒部の端面から一方が先側に延出された光ファイバと、から成る光アイソレータ装置において、
上記円筒基体の光ファイバ延出側の円筒部の周面の一部を取り囲んで固定する凹部と横方に突出する側面とを有する板状体を含むことを特徴とする光アイソレータ装置。
【請求項２】
上記板状体の側面がアイソレータ用溝部の底面と略平行にされて配置されている請求項１に記載の光アイソレータ装置。
【請求項３】
上記板状体の上記の側面が、アイソレータ用溝部の底面に対する円筒軸回りの角度で１０°以内に配置固定されている請求項１又は２に記載の光アイソレータ装置。
【請求項４】
上記板状体の凹部と上記円筒基体の周面とを接合する接着剤を含む請求項１ないし３いずれかに記載の光アイソレータ装置。
【請求項５】
上記板状体が、ケイ素、酸化ケイ素若しくはガラスから成る請求項１ないし４いずれかに記載の光アイソレータ装置。
【請求項６】
請求項１ないし５いずれかに記載の光アイソレータ装置と、表面に円筒基体を定置する基体用溝を設けたモジュール基板と、該モジュール基板上で固定された上記円筒基体から延出された光ファイバ先端に光結合するレーザ放射素子と、を含み、
円筒基体の板状体の上記の側面がモジュール基板の上記表面と対面して、光アイソレータ装置と基板とが接着固定されている光モジュール。
【請求項７】
上記円筒基体に固定した板状体の該側面がモジュール基板の表面に接着固定されている請求項６に記載の光モジュール。
【請求項８】
上記レーザ放射素子は、レーザ放射素子からの放射光の偏光面の方向が上記モジュール基板の表面に対して所定の角度に設定して、基板上に固定されている請求項６又は７に記載の光モジュール。
【請求項９】
上記レーザ放射素子からの放射光の偏光面の方向が、上記モジュール基板の表面に対し略平行である請求項８に記載の光モジュール。
【請求項１０】
上記モジュール基板が、ケイ素から成る請求項６ないし９いずれかに記載の光モジュール。
【発明の詳細な説明】
【０００１】
【発明の属する技術分野】
本発明は、レーザ放射素子に光アイソレータを接続して光出力をするための光アイソレータ装置と、これを用いてレーザ放射素子と一体化した光モジュールに関する。
【０００２】
【従来の技術】
光アイソレータは、レーザー光源などのレーザ放射素子と光ファイバその他の光部品とを接続したレーザ光学系において、光部品を通過した光が反射してレーザー光源へ光が戻るのを防止するために、あるいは、戻り光により光ファイバ増幅器内で光の共振その他の撹乱が発生するのを防止するために、光通信機器や光センサーなどに使用されている。
【０００３】
光アイソレータには、反射戻り光を防止する偏光依存型光アイソレータがあるが、この型の光アイソレータ３は、図５に一例を示すように、一般に、光源からの入射側に第１の偏光子３１と、その前にファラデー回転子３２と、さらに、第２の偏光子３３とが重積されており、ファラデー回転子３２回りには、ファラデー回転子に磁界を印加するマグネット３４が配置され、これらを一体に固定するための保持具３５を含んでいる。
【０００４】
図６（Ａ）は、偏光依存型光アイソレータ３に入射したレーザ光９０が順方向に透過する過程での偏光の変化を示し、図６（Ｂ）は、光路中に反射した戻り光９３が逆方向に光アイソレータ３に入射した時の光の透過中の偏光角度の変化を示すが、光アイソレータは、第１の偏光子３１の透過光の偏光角度３８が、この例では、横方向（図中水平方向）に設定され、第２の偏光子３３の偏光角度３９は、順方向に４５°に調節されている。光源からのレーザ光９０は直線偏光にされてその偏光面方向９５は、水平方向にされており、第１の偏光子３１に入射して通過することができ、次いで、ファラデー回転子２０では、順方向に半時計回りに偏光方向９５１が４５°回転されて、第２の偏光子３３では、偏光角度３９と一致するので、通過光９２として通過する。
【０００５】
他方、この通過光が光路のどこかで反射されて逆方向から戻る光ビーム９３は、その偏光面の角度９７は不明であるとしても、第２の偏光子３３を４５°の偏光角度３９の光成分が通過し、次いで、ファラデー回転子２０により、４５°だけ回転されるが、ファラデー回転子２０の非相反性により、光は、第１の偏光子３１の透過偏光面と直交する偏光方向９９（即ち、この例では、図６中で垂直方向）となり、偏光子３１で光は減衰して遮断され、光源側には、戻らない。
【０００６】
このように、光アイソレータは、入射光に直線偏光を利用して、その偏光角度を第１の偏光子の透過光の偏光角度と一致させる必要がある。入射光の偏光の角度が、第１の偏光子の透過偏光方向からのずれが大きくなると、順方向で偏光子で大きな損失を受けることになる。
【０００７】
従来技術に関して、下記の特許文献１ないし同３には、光ファイバを装着したフェルール内に光アイソレータを固定して、その光ファイバと光結合した装置が開示されている。特許文献３は、光アイソレータを装着したフェルールの先側一部を、素子基板に設けたフェルール溝に接着して、基板表面上にはフエルールの先端の光ファイバ入射端面に光結合可能にレーザダイオードを固定して、モジュールとしたことを開示している。このモジュールは、使用時は、フエルール後端側にコネクターを接続して伝送用の光ファイバを接続することにより、レーザ光源として簡便に利用できる。
【０００８】
【特許文献１】
特開２００１−４４５５３
【特許文献２】
特開２００２−１４２５３
【特許文献３】
特開２００２−２０２４３９（段落［００３９］、［００６３］、図１、図５）
【０００９】
【発明が解決しようとする課題】
上記の光アイソレータを一体化したフェルールを含むモジュールは、従前のようにレンズを用い全ての光軸の芯出し調整が必要なモジュールに比べれば格段に組立が簡便化されて、アラインメント・フリーに近いが、上記のように、光アイソレータが偏光依存性を持つので、モジュール組立て時には、レーザダイオードの放射ビームとこれを受光する光アイソレータとの間の偏光方向の位置合わせ、即ち、回転方向の角度合わせ、が必要であった。放射光の直線偏光の偏光方向と光アイソレータの第１の偏光子との偏光方向とが一致しないと、透過効率が低下し、光アイソレータを通過して放射するエネルギーが低下する。レーザダイオードが、一般に基板表面に水平な偏光方向の直線偏光を放射するように固定されているものであれば、光アイソレータには入射光の偏光依存性があるので、組立て時に、フェルールを軸回りに回転調節してその光アイソレータの偏光方向の位置合わせが必要になる。
【００１０】
さらに、従来のアイソレータを含む構造は簡略ではあったが、モジュールとして完成された後に使用前後にわたり、フェルールの後端部（光放射方向）は、外部から光コネクタが挿入され、引抜き交換されるなどして、機械的な接触作用や荷重が加わり、このために、フェルールには大きな曲げ応力や捻り応力が作用する。従来技術は、フェルールと基板上のＶ溝との接合強度については充分な考慮をしておらず、外部から加えられた力に対して充分な機械的強度を保持していなかった。
【００１１】
本発明は、接続すべきレーザ放射素子の入射光の偏光面とアイソレータに適切な偏光面との調節・設定が容易にできる光アイソレータ装置と、これを用いてレーザ放射素子と一体化したモジュールを提供しようとするものである。
【００１２】
本発明は、さらに、容易に偏光方向合わせが可能で、且つ機械的強度の高い構造を有する光アイソレータ装置を用いたモジュールとを提供するものである。
【００１３】
【課題を解決するための手段】
本発明の光アイソレータ装置は、略中央部にアイソレータ用溝部とその両側にそれぞれ円筒軸に平行な貫通孔を含む円筒部とを有する円筒基体と、該アイソレータ用溝部の底面に固定した光アイソレータと、両側の円筒部にそれぞれ該貫通孔に挿通して光アイソレータに光結合して一方の円筒部の端面から先側に延出された光ファイバと、から成るが、その特徴は、さらに板状体を含み、板状体が、円筒基体の上記光ファイバ延出側の円筒部の周面の一部を取り囲んで固定する凹部と横方に突出する側面とを備えている。
【００１４】
この構造の光アイソレータ装置は、予め、板状体の側面とアイソレータ用溝部の底面とを一定の角度で関係付けておき、これをモジュール基板に固定するに際して、板状の側面を、モジュール基板の表面に対面するように配置して固定することにより、モジュール基板の表面とアイソレータ用溝部の底面とが一定の角度の関係に規定できる。そこで、モジュール基板上のレーザ放射素子と、光アイソレータ装置のアイソレータ用溝部の底面上に固定される光アイソレータとは、その偏光方向を一致させるように設定できる。
【００１５】
従って、光モジュールの組立てにおいては、光アイソレータ装置をモジュール基板の所定の位置において、板状体の側面が基板表面に対面するように配置して接着するだけで、レーザ放射素子の光と、光アイソレータの入射側偏光子の偏光方向が一致させることができ、光アイソレータ装置のモージュール基板への組立て作業の迅速化と誤った配置組立ての防止とに有効である。
【００１６】
さらに、板状体は、板状体の側面によりモジュール基板表面への接合操作の容易さと共に光アイソレータ装置の基板への接合強度を高め、フェルールとしての機械的強度を高めることができる。
【００１７】
【発明の実施の形態】
本発明の光アイソレータ装置において、円筒基体が、略中央部にアイソレータ用溝部を形成しその両側円筒部にそれぞれ円筒軸に平行な貫通孔を含み、この円筒基体には、アイソレータ用溝部の底面に光アイソレータを固定し、円筒部の両側には、それぞれ該貫通孔に挿通して光アイソレータと光結合した光ファイバが、一方の円筒部の端面から先側に延出されている。
【００１８】
上記の板状体は、円筒基体の光ファイバ延出側の円筒部の周面の一部を取り囲んで固定する凹部を備えて、円筒部に固定される。そして、板状体は、円筒基体に対して、横方に突出する側面を有している。板状体の形状は、特に限定しないが、直方体の一側面の中央部に凹部が切欠き形成された構造が採用できる。凹部は、矩形状、台形状又は円弧状でもよく、円筒部の外面の一部を受容して、接着固定できる形状であればよい。
【００１９】
板状体は、円筒基体に対して、上記側面が、アイソレータ用溝部の底面に対して一定の角度関係を持って規定される。これにより、装置をモジュール基板に固定するに際して、アイソレータ用溝部を所定の角度に設定することができる。  特に、板状体の上記側面は、アイソレータ用溝部の底面と実質的に平行にされて、円筒基体に固定されているのが好ましい。このときは、板状体の側面が、モジュール基板上に対面するように基板上に配置して接着固定するだけで、モジュール基板の表面に対して、アイソレータ用溝部の底面が平行になるように設定でき、基板上のレーザ放射素子が、光アイソレータの第１の偏光子と容易に且つ確実に関係付けることができる。この場合、板状体の上記の側面が、アイソレータ用溝部の底面に対して１０°以内の角度にあるのが好ましく、特に、好ましく５°以内の角度にするのがよい。
【００２０】
このような板状体と円筒基体とは、板状体の凹部と上記円筒基体の周面とを接合する接着剤により接着固定することができる。
【００２１】
板状体は、ケイ素（Ｓｉ）、酸化ケイ素（ＳｉＯ２）又はガラスから成るものが好ましく、特に、後述の如く、モジュール基板が、ケイ素基板から成るものであるときは、これらの材料がケイ素に近い熱膨張率を有するので、温度変化によってもモジュール基板と板状体との間の熱膨張差による変形や歪みを防止することができ、モジュール基板上に光アイソレータ装置を安定して定置することができる。
【００２２】
本発明は、さらに、上記の光アイソレータ装置とこれに光接続されるべきレーザ放射素子とを一体化した光モジュールを含むが、このモジュールは、上記の光アイソレータ装置と、表面に開口して円筒基体を定置する基体用溝を設けたモジュール基板と、そのモジュール基板上で固定されて円筒基体から延出された光ファイバ先端と光結合するレーザ放射素子と、を含んでおり、上記の光アイソレータ装置の板状体の側面が、モジュール基板の表面と対面して光アイソレータ装置と基板とが接着剤により固定され成るものである。
【００２３】
円筒基体の固定においては、その板状体の上記の側面がモジュール基板の上記表面に接着層により直接固定されるのが好ましく、これにより、円筒基体とモジュール基板との接合部を強化することができる。円筒基体の他端部側は、モジュールの周縁部から突出して配置されて、これには、別の光ファイバの先端を固定した別のコネクターが突出部に装入されて、光接続するのに使用され、円筒基体は、フェルールの役割も持っている。板状体による接合部の補強がされているので、円筒基体へのコネクタの抜き差しによる応力付加に十分に耐える高い強度をがある。
【００２４】
上記の光モジュールに含むレーザ放射素子には、レーサーダイオードその他のレーザ光源の他に、光変調器や光増幅器、光ファイバ増幅器、光合波器や分波器その他の光素子が利用され、特に、反射による戻り波により影響を浮ける素子を含む。これらの素子は、放射した光が一定の直線偏光面を有し、基板上に固定されて、基板表面に対する偏光面の角度が設定できるものに利用できる。
【００２５】
上記レーザ放射素子は、該レーザ放射素子からの放射光の偏光面が上記モジュール基板の表面に対して所定の角度に設定して、基板上に設定されているが、この場合、これら素子の放射光の偏光面が、モジュール基板の表面に平行に固定されているのが好都合である。
【００２６】
基板上のレーザ放射素子の偏光方向が、基板表面に対して決められると、基板表面に対して、これに対面する板状体の側面が平行に位置決めされ、従って、円筒基体の板状体の側面は、溝部の底面に対して上述のように規定されているので、溝部の底面上に固定した、光アイソレータの第１の偏向子の偏光方向が、上記レーザ放射素子の偏光方向と正確に一致させて、光アイソレータに入射させることができる。
【００２７】
上記モジュール基板が、ケイ素の基板から成るのが好ましく、この材料は、半導体製造技術を利用して精密加工成形することができる利点がある。
【００２８】
さらに詳しくは、図１と図２に示すアイソレータ装置１は、円筒基体２が、円筒状のセラミックからなり、ほほ中央部に、アイソレータ用の溝部２３が切りこまれて形成されおり、溝部２３は、中心軸に平行な底面２４と、この例は、中心軸に垂直な壁面２５を備えている。円筒基体２には、その中心軸に沿って、前部と後部に光ファイバ４が貫通しており、前部側より先側の光ファイバ４ａは、円筒基体２の先端面２２ａから入射端面４０が突出し、後端部の端面は、溝壁面２５により面一に停止している。後部側の光ファイバ４ｂは、先端面が壁面２５に停止し、後端面、即ち出射面４１が、円筒基体の後端面２２ｂに面一に停止している。
【００２９】
円筒基体２の上記アイソレータ用の溝部２３には、底面２４に、アイソレータ３が固定されており、アイソレータ３の入射面と出力面がそれぞれ、上記光ファイバの壁面２５に停止した光ファイバ４ａ，４ｂの端面と光結合している。
【００３０】
アイソレータ３は、従来のものと基本的に同じく、図５に示すように、光軸Ｃに沿って、第１の偏光子３１と、ファラデー回転子３２と、第２の偏光子３３とが一体に配置され、その周囲を永久磁石３が取り囲んで、光軸に沿った強磁界をファラデー回転子３２に印加している。
【００３１】
アイソレータ３は、図１及び図２において、円筒基体２に開設した溝部２３内にあって、その底面２４上に固定されるが、この例は、アイソレータ３の入射側の第１の偏光子３１の透過光の偏光方向が、底面２４に平行にされている。
【００３２】
他方の板状体５については、中央部に凹部５１を有し、凹部５１は、円筒基体２の外周の一部取り囲むことのできる断面矩形状をなしている。板状体は、凹部５１の両側に、平坦な側面５０を備えている。このような形状の板状体５は、板材を中心部に向けて研磨して凹部５１を形成して造ることができる。
【００３３】
板状体５は、セラミック、金属、ポリマーにより成形することができるが、好ましくは、ケイ素、酸化ケイ素（例えば、シリカないし石英）、ガラス（ケイ酸ガラス、ケイホウ酸ガラス、例えば、パイレックス（登録商標）ガラス、その他）が使用できる。
【００３４】
板状体５は、その凹部５１が、上記円筒基体２の前部側の円筒部２１ａの外周の一部を覆うように受容して、凹部内空隙に接着剤を充填して一体に固定されて、光アイソレータ装置にされる。このような光アイソレータ装置１において、板状体５の上記凹部５１両側の側面５０は、上記溝部２３の底面２４に対して、円筒軸に対して１０°以下、特に、５°以下に設定して、実質的に平行にされている。それ故、光ファイバ４に端面４０に側面５０に平行な方向の偏光角度を有するレーザ光が入射したときは、第１の偏光子３１への透過損失は実質的に無視できるほど小さくすることができる。
【００３５】
このような光アイソレータ装置１は、図３に示すように、レーザ放射素子７を搭載したモジュール基板６の表面６０上に、このレーザ放射素子７と光結合可能に固定接続される。このモジュール基板６の表面６０には、１つの基板縁部から内部に向けて配置した円筒基体を位置付けるための基体用溝６１と、この基体用溝６１に先側により浅くて細いファイバ用溝６３とが配置され、その先側に、横溝６５を介して、光放射素子として、この例は、レーザダイオード７が固定されている。
【００３６】
基体用溝６１は、この例は、表面６０に開口する断面逆三角形状を成すように、２つの傾斜面６２、６２により形成され、円筒基体２をその中に受容して２つの斜面６２、６２が、円筒基体２の周面に線接触して円筒基体を支持位置決めするが、この例では、基体用溝６１は、円筒基体２の中心を貫く光ファイバ４が概ねモジュール基板６の表面６０と面一に位置付けるように設定されている。円筒基体２の端面２２ａが、基体用溝６１の端面６４に当接するように、位置付けられ、出射側の円筒部２１ｂが、基体用溝６１より離れて縁部から突出している。
【００３７】
ファイバ用溝６３は、モジュール基板の表面の６０に基体用溝６１の先側に配置され、基体用溝６１内に光アイソレータ装置１の円筒基体２を収容固定したとき、基体用溝６１の先側で、円筒基体２から突出するファイバ４が、基板の表面６０に接触するのを回避して、その先端の入射端面４０を、レーザダイオード７の出射面に近接するように正確に配置されている。
【００３８】
光モジュール１１の組立ては、光アイソレータ装置１の基板６への固定に際しては、上記の基体用溝６１内に円筒基体２を配置し、円筒基体２に固定した板状体５の側面５０が、基体用溝６１の両側の基板６の表面６０に近接して配置される。そして、基体用溝６１と円筒部との間と、さらに基板６の表面６０と板状体５の側面５０との間とを接着剤、特に、エポキシ接着剤により接合固定されている。この接合状態では、モジュール基板６の表面６０は、板状体５の側面５０、５０を通じて、上記の円筒基体２に設けたアイソレータ用の溝部２３の底面２４に実質的に平行であり、従って、光アイソレータの第１の偏光子３１の偏光方向と一致する。上記のレーザダイオード７は、基板表面に平行な偏光方向を有する出射光を放射するように固定されており、レーザダイオード７からの放出光を光ファイバ４の入射端面４０を通じて導光することにより、その偏光方向を、アイソレータ３の入射側の偏光方向に整合させている。
【００３９】
上記モジュール基板６の基体用溝６１内に固体された円筒基体２は、その中心貫通する光ファイバー４が、その基板表面６０に対して略同じ高さを有するので、板状体５の凹部５１は、円筒基体２の円筒部２１の半径より小さくして、円筒部の一部を収容するように形状が決められている。図４（Ａ）にはこの関係を示すが、凹部５１は、その底面５３が円筒部２１ａの外周と接触する構造である場合には、凹部深さｈ、即ち、側面５０から底面５３までの深さを、円筒部２１の半径ｒより小さく設定するのがよい。これに対して、図４（Ｂ）のように、凹部深さｈを円筒部の半径ｒより大きくすると、円筒部２１ａの外周が、基体用溝６１の斜面６２、６２から離れて浮いてしまうので、基板６の表面６０に対する円筒基体２の光ファイバ４の正確な位置付けができなくなる。
【００４０】
以下には、光アイソレータ装置１とこれを利用した光モジュール１１の組立て過程を含む詳細な実施例を示す。円筒基体２は、外形直径１．２５ｍｍ、長さ８ｍｍのジルコニアの焼結筒体であり、中心軸に貫通孔２０は、挿通固定される光ファイバ４の外径１２５μｍよりわずかに大きくして、この例では、直径１２７μｍとしてある。
【００４１】
この実施例では、円筒基体２に、光アイソレータ用の溝部２３を形成する前に、光ファイバ４を挿通して配置を決めるが、光ファイバ４は、両側の外径１２５μｍの石英系のシングルモードファイバ４ａ、４ｂの対向する一端に、それぞれ、同径のグレイデッドインデックスファイバ（以下、ＧＩファイバという）４２ａ、４２ｂを接続し、両方のＧＩファイバ４２ａ、４２ｂの間を、同径の１５００μｍの長さで石英コアレスファイバ４３（屈折率ｎ＝１．４６）により融着して、一本の連続した光フアイバー４にされる。この光フアイバー４は、シングルモードファイバ４ａを入射側とし、その端端面４０を入射端面として、クリーブエンド（平坦面）に加工されている。
【００４２】
また、ＧＩファイバ４２ａ、４２ｂは、この例では、収束パラメータＡ＝６．２×１０−６μｍ−２で、Ｐ＝０．２７（６８１μｍ）になる長さに調製して接続されている。
【００４３】
光ファイバ４は、円筒基体２の貫通孔２０に挿通して、石英コアレスファイバ４３を、所定の位置に、即ち、光アイソレータが配置されるべき位置を含むように位置合わせして、貫通孔２０内に接着剤としてエポキシ接着剤を充填して固定される。光ファイバ４の上記入射端面４０は、円筒基体２の端部２２ａから所定長さに突出させ、他端の出射端面４１は、この例では、円筒基体の端面２２ｂと面一になるように配置してある。
【００４４】
この円筒基体２には、コアレスファイバ４３を横切るように溝研磨により幅１ｍｍでアイソレータ用の溝部２３を形成され、溝部の壁面２５にコアレスファイバ４３の切断端面が露出し、この溝部２３の底面２４は、ファイバ４に平行で且つ平坦面とされている。
【００４５】
アイソレータ用の溝部２３には、後述のアイソレータ３を位置合わせして固定して、溝部２３内でコアレスファイバ３の切断面と対面するように配置し、接着剤により固定され、この接着剤には、コアレスファイバ３と屈折率が略同じ透明なエポキシ接着剤を使用している。
【００４６】
光アイソレータ３は、入射側から、第１の偏光子３１と、ファラデー回転子２０（厚さ３５０μｍ、屈折率２．２）と第２の偏光子３３（厚さ２００μｍ、屈折率１．５）とが重積され、その廻りには、ファラデー回転子２０を囲むように磁石を配置して、エポキシ系透光性の接着剤で接合されて、全厚さは７５０μｍに一体化した光アイソレータとされている。光アイソレータ３は、第１の偏光子３１の透過偏光方向と平行にした側面を、上記アイソレータ用溝部２３の底面２４上に対面するように固定してある。
【００４７】
板状体５は、両側翼部の幅４ｍｍ長さ２ｍｍ厚さ１ｍｍの石英板を用いている。板状体５は、別の例では、パイレックス（登録商標）ガラスを用いている。
【００４８】
板状体５は、中央部に片面側に開口する幅１．２５ｍｍで深さｈ＝０．６０ｍｍの凹部５１を形成し、この凹部深さｈは、上記円筒基体２の半径ｒ＝０．６２５ｍｍよりわずかに小さくしてある。
【００４９】
板状体５は、その凹部５１が、上記の円筒基体２の前側の円周部２１ａに被さるようして、同時に、板状体５の両側翼部の側面５０が、上記の光アイソレータ用の溝部２３の底面２４に平行になるように、特に、側面と底面との面角度が５°以下になるように、設定し、エポキシ接着剤８１により接着固定して、光アイソレータ装置１とする。
【００５０】
光モジュール１１について、モジュール基板６は、ケイ素基板から切出して、上面に平坦な表面６０を有し、その表面６０上には、基板縁部から内側に延びる基体用溝部６１と、その先側にファイバ用溝６３とを刻設してある。基体用の溝部６１の形状は、上記の如く、２つの斜面６２、６２からなる逆三角形状であり、この溝部６１内に円円筒基体２の筒部２１（２１ａ）を置いたときに、概ね円筒部２１の貫通孔２０、即ち、光ファイバ４が、表面６０と同じかわずかに高いレベルになるように調製されている。その先端側のファイバ用溝６３のさらに先側には、この例は、レーザ照射素子としてレーザダイオード７を固定して、さらにその先側には、モニター用の光ダイオード７０が固定されている。レーザダイオード７は、その放射光ビームの偏光面の方向が基板の表面６０に対して角度５°以内で実質的に平行になるように、表面６０上に固定されている。
【００５１】
円筒基体２の基板６０上の固定に際して、円筒基体２の円筒部２１ａの外周を円筒基体用の溝部６１内の斜面６２、６２に静置して、この際に、光アイソレータ装置１の光ファイバ４の先端の入射端面４０を、レーザダイオード７の光放射面に正確に位置付けして、光アイソレータ装置１の上記板状体５の両側の側面５０を基板表面６０に対面させて、そのギャップを接着剤を充填して、固定し、さらに、溝部６１内面と円筒基体２の外周とを接着剤８２により接着固定して一体化してある。その後、このモジュール１１は、適当なカバーと封入樹脂により一体にモールディングされる。
【００５２】
【発明の効果】
本発明の光アイソレータ装置は、光アイソレータ装置が、円筒基体の上記光ファイバ延出側の円筒部の周面の一部を取り囲んで固定する凹部と且つ横方に突出する側面とを有する板状体を含むので、この側面を基準にして、円筒基体の光アイソレータ用の溝部底面の軸廻りの配置ないし姿勢を容易に認識し、モジュール基板など他の基板上に光アイソレータ装置を固定する際の位置付けを容易にし、且つ光アイソレータ装置を強化して、フェルールとしての機能を高めることができる。
【００５３】
上記の板状体は、その側面がアイソレータ用溝部の底面と略平行にされて、円筒基体に固定するようにすれば、上記側面を基準にして、円筒基体の光アイソレータ用の溝部底面の配置ないし姿勢を、容易に認識することができる。
【００５４】
本発明の光モジュールは、光アイソレータ装置と、表面に開口して円筒基体を定置する基体用溝を設けたモジュール基板と、該モジュール基板上で基体用溝の前方に固定されて上記延出された光ファイバの入射端面と光結合するレーザ放射素子と、を含み、円筒基体の板状体の上記の側面がモジュール基板の上記表面と対面して、光アイソレータ装置と基板とが接着固定されているので、基板表面に対する板状体の側面の位置付けにより、レーザ放射素子と、光アイソレータ装置の光アイソレータの偏光子と、の偏光角度の整合性を簡単に満たすことができ、モジュール組み立てを実質的にアラインメント・フリーとすることができる利点がある。
【００５５】
上記の光モジュールは、光アイソレータ装置の板状体によりモジュール基板への接合が強化されて、フェルールとして光コネクターの接続に対しても機械的に強化されて、高い信頼性を発揮することができる。
【図面の簡単な説明】
【図１】本発明の実施例に係る光アイソレータ装置の斜視図を示す。
【図２】本発明の実施例に係る光アイソレータ装置の長手方向縦断面図（Ａ）と横方向縦断面図（Ｂ）とを示す。
【図３】本発明の実施例に係る光アイソレータ装置を半導体レーザ素子の基板上に固定した光モジュールの長手方向縦断面図（Ａ）と横方向縦断面図（Ｂ）とを示す。
【図４】本発明の実施例に係る基板上に固定した円筒基体と板状体との関係を示す光モジュールの断面図（Ａ、Ｂ）を示す。
【図５】偏光依存型の光アイソレータの断面図。
【図６】偏光依存型の光アイソレータ内での透過光（Ａ）と反射光（Ｂ）の偏光の角度の遷移を示す図。
【符号の説明】
１    光アイソレータ装置
１１  光モジュール
２    円筒基体
２０  貫通孔
２１  円筒部
２３  光アイソレータ用溝部
２４  底面
３    光アイソレータ
４    光ファイバ
４０  入射端面
４１  出射端面
５    板状体
５０  側面
５１  凹部
６    モジュール基板
６１  基体用溝部
６３  ファイバ用溝部
７    レーザダイオード
【図１】
2004177778.tif 000003
【図２】
2004177778.tif 000004
【図３】
2004177778.tif 000005
【図４】
2004177778.tif 000006
【図５】
2004177778.tif 000007
【図６】
2004177778.tif 000008